(57)【要約】【課題】  簡単な施工で外断熱を確保させると共に、白アリを確実に忌避させて、基礎よりも上への侵入を阻止することができる防蟻基礎外張り断熱構造の提供。【解決手段】  建築物の基礎外面１０に断熱材２ａ，２ｂを取り付けるようにした防蟻基礎外張り断熱構造であって、断熱性を有する白アリ忌避部材３ａ，３ｂが前記断熱材の上端縁に連続して取り付けられ、この白アリ忌避部材の上端縁が基礎外面の上端縁に沿うように形成されて、この白アリ忌避部材と断熱材とで基礎外面が覆われるように形成されている。【選択図】  図１
2007177441.tif 000002
【特許請求の範囲】
【請求項１】
建築物の基礎外面に断熱材を取り付けるようにした防蟻基礎外張り断熱構造であって、
断熱性を有する白アリ忌避部材が前記断熱材の上端縁に連続して取り付けられ、この白アリ忌避部材の上端縁が基礎外面の上端縁に沿うように形成されて、この白アリ忌避部材と断熱材とで基礎外面が覆われるように形成されていることを特徴とする防蟻基礎外張り断熱構造。
【請求項２】
請求項１記載の防蟻基礎外張り断熱構造において、建築物の基礎が、平面部を形成した後に立上げ部を形成することで形成され、
前記平面部と立上げ部との継目に沿って基礎外面に白アリ忌避部材が取り付けられている防蟻基礎外張り断熱構造。
【発明の詳細な説明】
【技術分野】
【０００１】
本発明は、建築物の基礎外面に断熱材を取り付けるようにした防蟻基礎外張り断熱構造に関し、特に、基礎外面を這い上がって侵入してくる白アリの忌避技術に関する。
【背景技術】
【０００２】
近年、断熱性の向上、施工の合理化といった理由から建築物の外断熱構造が注目されている。
この外断熱構造は、建築物の外壁に適用されるだけでなく、基礎についても適用され、その外断熱基礎構造は、基礎外面に断熱材を取り付けることにより形成されている。
【０００３】
このような外断熱基礎構造は、白アリの発生がない寒冷地域には適しているものの、多くの白アリが発生する温暖地域では、土中からの白アリが基礎外面に取り付けた断熱材に侵入し、その断熱材を食い破りながら蟻道を形成して基礎外面を這い上がり、基礎の上面に設けた土台や柱等の躯体構造物にまで侵入してしまう。その場合、白アリの被害の発見が著しく遅れ、気付いたときには甚大な被害となっているという問題がある。
【０００４】
そこで温暖地域においては、基礎内側に断熱材を取り付ける内断熱基礎構造が多く採用されているが、この内断熱基礎構造は、基礎内面に断熱材を隙間のない状態で取り付けて行くことが技術的に難しいし、基礎コンクリートが外気に接してしまうため熱効率が非常に悪く、コスト的にも不利になるという問題があった。
【０００５】
一方、基礎外面に断熱材を取り付けるようにした外断熱基礎構造について、白アリ耐蟻技術を採用したものが提案されている（特許文献１参照）。
【０００６】
この従来の外断熱基礎構造は、基礎を形成する際のコンクリート型枠内に断熱パネルを設置して、その断熱パネルの上端縁と基礎の上端縁とを同じ高さにして一体化させ、かつ基礎の上端面と断熱パネルの上端面とをセメントペーストによるレベラーによって覆うようにした構造になっている。
【０００７】
しかしながら、このように形成された従来の外断熱基礎構造では、断熱パネルをコンクリート型枠内に設置した状態で基礎をコンクリート打ちしたり、基礎の上端面と断熱パネルの上端面とを覆うようにセメントペーストを敷設してレベラーを形成させたりといった特殊な施工が必要になるし、特に、このセメントペーストによるレベラーは断熱性を備えていないため、このレベラー部分については断熱性が損なわれてしまうという問題があった。
【０００８】
又、白アリ耐蟻技術については、セメントペーストを、その流動性により隙間に流入させて白アリが侵入しそうな隙間を塞ぎ、侵入経路を遮断させるようにしたものであり、白アリに対する忌避作用がないため、白アリ耐蟻性が十分とは言えないという問題があった。
【特許文献１】特許公開２００３−２４７２８２号公報
【発明の開示】
【発明が解決しようとする課題】
【０００９】
本発明は、簡単な施工で外断熱を確保させると共に、白アリを確実に忌避させて、基礎よりも上への侵入を阻止することができる防蟻基礎外張り断熱構造を提供することを課題としている。
【課題を解決するための手段】
【００１０】
上記の課題を解決するために、本発明（請求項１）の防蟻基礎外張り断熱構造は、
建築物の基礎外面に断熱材を取り付けるようにした防蟻基礎外張り断熱構造であって、
断熱性を有する白アリ忌避部材が前記断熱材の上端縁に連続して取り付けられ、この白アリ忌避部材の上端縁が基礎外面の上端縁に沿うように形成されて、この白アリ忌避部材と断熱材とで基礎外面が覆われるように形成されている構成とした。
【００１１】
又、本発明の（請求項２）の防蟻基礎外張り断熱構造は、
請求項１記載の防蟻基礎外張り断熱構造において、建築物の基礎が、平面部を形成したのち立上げ部を形成して形成され、
前記平面部と立上げ部との継目に沿って基礎外面に白アリ忌避部材が取り付けられている構成とした。
【００１２】
前記白アリ忌避部材とは、断熱性を有する母材に白アリ忌避剤を付着させたり、含浸させたりしたものであって、白アリの移動を物理的に阻止させる障害物としての機能ではなく、白アリが嫌がる成分によって、この白アリ忌避部材を越えて白アリが移動しないようにする目的で設置するものを言う。
【００１３】
白アリ忌避剤としては、ピレスロイド系、カーバメイト系など白アリを忌避させる性質（殺蟻性を含む）を有する化学薬剤、天然物（檜、ヒバ、イヌマキ、モッコク、センダン、チーク、除虫菊など）の抽出成分、金属粉や金属粒（クロム、銅、亜鉛など）を使用することができる。
なお、白アリ忌避剤には、固形物と流動物のものがあるが、これらのいずれかを単独で使用してもよいし、両者を組合せて使用してもよい。
【発明の効果】
【００１４】
本発明（請求項１）の防蟻基礎外張り断熱構造は、断熱性を有する白アリ忌避部材を、基礎外面に取り付けた断熱材の上端縁に連続して取り付けた構成に特徴がある。
その施工に際しては、まず、基礎外面に断熱材を取り付け、この基礎外面の上端縁に連続して白アリ忌避部材を取り付けるもので、このとき白アリ忌避部材の上端縁が基礎外面の上端縁に沿うように取り付けて、この白アリ忌避部材と断熱材とで基礎外面を覆うように形成するものである。
【００１５】
この場合、断熱材及び白アリ忌避部材の基礎外面に対する取り付け時期は、建築物の新築施工に際し、基礎の構築と同時、基礎を構築させた後、或いは基礎の上に土台や柱等の躯体構造を構築させた後、或いは外壁を形成させた後でもよく、また、既設建築物の基礎外面に後付けで取り付けることもでき、施工時期に自由度がある。
尚、基礎の構築と同時に取り付けるときは、例えば、基礎を形成する際のコンクリート型枠内に、上部に白アリ忌避部材の取り付けスペースを保持して断熱材を設置して、これをコンクリートと一体化させ、次に前記取り付けスペースに白アリ忌避部材を設置し、白アリ忌避部材が断熱材の上端縁に連続するようにして取り付けるものである。
【００１６】
そして、前記白アリ忌避部材が断熱性をするため、この白アリ忌避部材と断熱材とで基礎外面の表面に全面的に断熱層が形成される。
従って、白アリ忌避部材による白アリ忌避作用によって、白アリの侵入を確実に阻止させながら、基礎の全面に亘って外断熱を確保した外断熱基礎構造を構成することができる。
【００１７】
建築物の基礎を施工するに際し、まず平面部を形成し、次にこの平面部の上に立上げ部を形成する場合がある。
この際、まず平面部を形成し、次にその平面部の上面外周に沿って白アリ忌避部材をセットし、その後、立上げ部を形成すれば、平面部と立上げ部との継目に沿って基礎外面に白アリ忌避部材を取り付けることができる（請求項２）。
この場合も基礎の構築と同時に断熱材と白アリ忌避部材を基礎外面に取り付けるときは、例えば、コンクリート型枠内に白アリ忌避部材の取り付けスペースを保持して断熱材を設置してこれをコンクリートと一体化させ、次に前記取り付けスペースに白アリ忌避部材を設置し、断熱材と連続するようにして取り付けるものである。
これにより基礎外面の途中にも白アリ忌避部材を配設することができ、平面部と立上げ部との継目から侵入しようとする白アリに対し、これを忌避することができ、より効果的に白アリの侵入を防止することができる。
【発明を実施するための最良の形態】
【００１８】
図１は本発明の防蟻基礎外張り断熱構造の実施例を示す断面図である。
本実施例の防蟻基礎外張り断熱構造は、建築物である木造家屋の基礎外面を対象とした外断熱構造に構成されている。尚、本発明の防蟻基礎外張り断熱構造は木造家屋に限定されず、鉄筋コンクリート構造や鉄骨構造その他の構造の家屋にも適用することができる。
【００１９】
図において、１は建築物の基礎で、平面部１ａを形成した後に立上げ部１ｂを形成することで形成され、この基礎１に対して防蟻基礎外張り断熱構造を形成させている。
【００２０】
この防蟻基礎外張り断熱構造では、基礎外面１０に、この基礎外面１０の上端部分が若干の幅で露出するように上部断熱材２ａ及び下部断熱材２ｂを取り付けると共に、前記露出部分に上部白アリ忌避部材３ａが取り付けられている。
又、前記平面部１ａと立上げ部１ｂとの継目に沿って基礎外面１０に下部白アリ忌避部材３ｂが取り付けられている。
【００２１】
従って、この実施例では、基礎外面１０が、下部断熱材２ｂと、下部白アリ忌避部材３ｂと、上部断熱材２ａと、上部白アリ忌避部材３ａとによって全面的に覆われるように形成されている。
この場合、前記上部白アリ忌避部材３ａは、上部断熱材２ａの上端縁に連続して取り付けられ、この上部白アリ忌避部材３ａの上端縁が基礎外面１０の上端縁に沿うように取り付けられている。
また、前記下部白アリ忌避部材３ｂは、基礎１を形成する平面部１ａと立上げ部１ｂとの継目に沿って基礎外面１０に取り付けられている。
【００２２】
前記断熱材２ａ，２ｂ（以下、上部断熱材２ａと下部断熱材２ｂを総称する場合は、符合を２とする）は、ウレタンボード、ポリスチレンやポリエチレン等の合成樹脂発泡体（例えば、ネオマフォーム：商標）が用いられている。
又、白アリ忌避部材３ａ，３ｂ（以下、上部白アリ忌避部材３ａと下部白アリ忌避部材３ｂを総称する場合は、符合を３とする）は、前記断熱材２として用いた合成樹脂発泡体を母材とし、この合成樹脂発泡体に白アリ忌避剤を付着又は含浸させることで、断熱性及び白リ忌避作用を持つように形成したものである。
なお、前記断熱材２及び白アリ忌避部材３の材質については、合成樹脂発泡体に限らず、その他の断熱材料を使用できるものである。
【００２３】
又、前記断熱材２及び白アリ忌避部材３の外面にはモルタル層４が形成されている。
このモルタル層４は、断熱材２及び白アリ忌避部材３の保護部材として機能すると共に、断熱材２の外面から白アリが断熱材２内に侵入するのを防ぐ機能を有している。
なお、このモルタル層４は、断熱材２及び白アリ忌避部材３の外面に生のモルタルを塗布して形成させてもよいし、モルタルボードを取り付けて形成してもよい。
又、モルタル層に限らず、例えば、石膏ボートを取り付けるなど、前記した保護部材としての機能及び白アリ侵入防止部材としての機能を有するものであればよい。
【００２４】
上記のようにして外断熱構造に形成された基礎１の上面には、土台５０、柱５１、梁（図示省略）、大引５２等によって躯体構造が形成され、そして、前記土台５０と柱５１と梁とによる垂直構面の外側に断熱材６が取り付けられ、この断熱材６の外側に壁面材７が取り付けられた外断熱壁面構造が形成されている。
この場合、防蟻基礎外張り断熱構造に設けた白アリ忌避部材３の上端面と、外断熱壁面構造に設けた断熱材６の下端面とは、隙がない連続状態で接しており、この両者の継目から白アリが侵入するのを防止させている。
【００２５】
以上のように構成された本実施例の防蟻基礎外張り断熱構造では、基礎外面１０に断熱材２と白アリ忌避部材３を取り付けるだけといった簡単な施工で外断熱を確保させながら白アリ忌避部材３によって白アリを確実に忌避させることができ、白アリが基礎外面を這い上がって躯体構造等へ侵入するのを阻止させることができる。
【００２６】
尚、前記実施例では、平面部１ａを形成した後に立ち上げ部１ｂを形成することで基礎１を施工し、この基礎１に対して外断熱基礎構造を形成したものを例として説明したが、図２に示すように、平面部と立ち上げ部を一体に形成した基礎に対して外断熱基礎構造を形成したものも本発明には含まれるものである。この場合は、まず、基礎外面１０に断熱材２ｃを取り付け、この基礎外面１０の上端縁に連続して白アリ忌避部材３ｃを取り付けるもので、このとき白アリ忌避部材３ｃの上端縁が基礎外面１０の上端縁に沿うように取り付けて、この白アリ忌避部材３ｃと断熱材２ｃとで基礎外面を覆うように形成するものである。これ以外の構成は前記実施例と同じであるから、詳細な説明は省略する。
【図面の簡単な説明】
【００２７】
【図１】本発明の防蟻基礎外張り断熱構造の実施例を示す断面図である。
【図２】本発明の防蟻基礎外張り断熱構造の他の実施例を示す断面図である。
【符号の説明】
【００２８】
１  基礎
１ａ  平面部
１ｂ  立上げ部
１０  基礎外面
２ａ  上部断熱材
２ｂ  下部断熱材
２ｃ  断熱材  
３ａ  上部白アリ忌避部材
３ｂ  下部白アリ忌避部材
３ｃ  白アリ忌避材
４  モルタル層
５０  土台
５１  柱
５２  大引
６  断熱材
７  壁面材
【図１】
2007177441.tif 000003
【図２】
2007177441.tif 000004